(57)【要約】      （修正有）【課題】使用者が様々な状況において忘失する事なく即座にルーペを使用することができ、簡易に製造でき且つ宣伝効果の高い表示部を有する安全かつ簡易なルーペ収納袋を提供すること。【解決手段】ルーペ本体４と該ルーペ本体４を収納するべく形成された収納袋とから構成されたルーペ収納袋であって、該収納袋にはルーペ引出し用開孔窓部２ｅを有する表層材と裏層材が該ルーペ本体の出入口部２ａを除く開放辺縁部で相互に接合され、該裏層材外面には剥離材で外被された粘着層が形成されている。収納袋のルーペ引出し用開孔窓部２ｅから視認できる裏層材内面には、表示部５が形成されている。【選択図】図２
0003210926.tif 000002
【実用新案登録請求の範囲】
【請求項１】
シート状レンズ及び該レンズ底辺縁両端に突起部を有する辺縁部が一体的に形成されたルーペ本体と該ルーペ本体を収納するべく形成された収納袋とから構成されたルーペ収納袋において、該収納袋にはルーペ引出し用開孔窓部を有する表層材と裏層材が該ルーペ本体の出入口部を除く開放辺縁部が相互に接合されてなり、該裏層材外面には剥離材で外被された粘着層が形成されてなることを特徴とするルーペ収納袋。
【請求項２】
前記収納袋の前記ルーペ引出し用開孔窓部から視認できる前記裏層材内面には直接印刷、印刷物貼付、焼付、塗装、刺繍等の方法によって文字、模様、紋様等が付加された表示部が形成されてなることを特徴とする請求項１記載のルーペ収納袋。
【考案の詳細な説明】
【考案の詳細な説明】
【技術分野】
【０００１】  本考案は薄型拡大鏡であるシート状レンズ例えば樹脂製フレネルレンズを収納したルーペ収納袋に関するものであり、該収納袋裏層背面には粘着層部を形成するとともに該裏層内面には宣伝用販促品としての機能を有する表示部を付加したルーペ収納袋あるいはルーペ被覆材に関するものである。
【背景技術】
【０００２】  従来、シート状レンズから成形されたルーペ本体と該ルーペ本体を覆うべく形成された外被材から構成される薄型ルーペは周知である。（例えば［特許文献１］参照）。また物品表面に薄型ルーペを形成し同時に該表面に文字等を併置記載して宣伝用表示部を形成する等の事例（例えば［特許文献２］）、更には単一の合成樹脂をもって非球面を有するフレネルレンズ部とその周辺を一体的に成形する技術（例えば［特許文献３］）は広く知られている。しかしながら［特許文献１］の事例では外被材に液晶画面等を清掃するクリーナー材や反射素材を付加したものであり必ずしもルーペ機能を要せず且つ当該品の使用目的上つねに独立しあるいは伸縮する紐帯に取付けるものであり全体として高価にならざるを得ない。また［特許文献２］の事例では非被覆のルーペ本体は傷つきやすく且つ宣伝表示が記載された物品本体からルーペ部分を分離・保持し表示部は破棄される構成であり、費用の割には宣伝公報効果が疑問視されるものである。更に［特許文献３］の事例ではルーペと一体的に形成された周縁部にスケールや方位磁石、バッテリー等を付加する構成であり外覆・収納あるいは宣伝・表示に関する技術に関するものではない。
【先行技術文献】
【特許文献】
【０００３】
【特許文献１】実用新案登録３１４６２２８号公報
【特許文献２】実用新案登録３１７１３１２号公報
【特許文献３】特開平８−１６０３２３号公報
【考案の概要】
【考案が解決しようとする課題】
【０００４】  本考案の目的はこのような難点を解消するものであり、すなわち周縁部と一体成形されたルーペ本体、及びルーペ収納袋を共に簡単に且つ安価に製造すると共に、該ルーペ収納袋の内側に宣伝文等を付加した表示部を有し、該表示文字等は該収納袋の開孔窓から直視でき且つルーペ収納時にはルーペを通して視認できると共に表示文字等はルーペ本体によって覆れるので傷等から保護されるものである。また収納袋背面には剥離材で外被された粘着層が形成されているので剥離材を排除して携行品等に粘着添付できるので幼児から老齢者に至る広範囲の使用者が必要に応じて即座にルーペを取出すことができるものである。上記のように安全かつ簡易であり安価でありながら宣伝効果の確実な粘着部及び表示部有する収納袋入りルーペを提供することにある。
【課題を解決するための手段】
【０００５】  請求項１に記載の考案によれば、熱可塑性樹脂材あるいは熱硬化性樹脂材からなる単一の合成樹脂を原材料として非球面状のフレネルレンズ部と一辺の両端が突設された周縁部が一体成形されている薄型シート状レンズ部と、該レンズ部が保管収納される収納袋部から構成される薄型ルーペにおいて、該収納袋は表層部及び裏層部が前記シート状レンズ部の出入り口を除外して該両層辺縁部が相互に接合されている。前記収納袋の表層部には開孔窓が開設され収納された前記ルーペを指等で容易に引出すことができる。さらに前記収納袋出入り口両端部には内挿された前記レンズ周縁部の突設部と突接するべく形成された引出し係止部及び前記収納袋底縁部近傍には同様にルーペ収納係止部が形成されてなり前記ルーペ本体の脱落あるいは収納袋との噛込事故を防止している。また前記収納袋の裏層部表面には剥離材で外覆された粘着層部が形成されてなり前記剥離材を除外すると任意の部位、物品に前記ルーペ入り収納袋を粘着保持できることにより課題を解決している。【０００６】  請求項２に記載の考案によれば、前記収納袋の表層部に開設された前記ルーペ引出し開孔窓から直視できる範囲の前記裏層部内側表面部分には、前記ルーペを内装する前工程において直接印刷、印刷物貼付、焼付、塗装、刺繍等の方法によって任意の文字、模様、紋様等を付加することにより、前記部分を宣伝広告等のための表示部とすることができ、前記ルーペを内装することによって該表示部を視認できる透明保護カバーともなり、前記ルーペ入り収納袋を安価、安全、簡易な宣伝販促品となすことにより課題を解決している。【０００７】  すなわち、本考案によれば前記合成樹脂製フレネルレンズは係止用突起部である周縁部と一体に成形するので製造が極めて容易且つ安価であり、該レンズを外覆する収納袋も費用に応じて紙、不織布、布、合成樹脂、皮革、等様々な素材で容易に加工できるものである。さらに該収納袋は表層材と裏層材が別部品の組合せあるいは同一部品を折り曲げて形成されても自由であり、両層の接合方法も接着、溶接、縫製等費用に応じて自由に加工できる特性を有する。したがって裏面に粘着層を有する収納袋に外覆された薄型ルーペとして様々な需要要望に応じて仕様を変化させやすくまた当然の事ながら更に様々な装飾性を持たせる事もできる。
【考案の効果】
【０００８】  上述のように本考案の薄型ルーペ入り収納袋は、視力調節機能の衰えた高齢者が重量のあるガラス製拡大鏡を持参したりあるいは拡大鏡を収納場所から取出さなくとも例えば名刺入れや手帳、携帯電話等身近な携帯品に容易に粘着できるので文書等の視認行動が極めて容易であり文書確認や事務処理効果を高める事ができる。また本品は安価かつ小型軽量なので老齢者を対象とする事の多い施設等に多数備えておく事も容易であり広範囲の使用者の使用条件を考慮した安全かつ簡易であり効果の確実な薄型ルーペとして有効な視認効果をもたらす視覚補助具として簡便かつ極めて効果的である。【０００９】  また例えば幼児教育、理科教育の場合には、筆箱や観察ノ−トの片隅に添付された粘着層で粘着携帯できるので忘失を防ぎ教育効果を高めるためにも極めて有効である。同様に老人介護や長期入院患者等の作業療法補助具、持ち物や記名部分の識別確認としての使用にも有効である。更に比較的安価に製造できるので企業等の記銘宣伝具としても使用する事ができる等、日常生活においても簡便かつ極めて効果的である。
【実施例】
【００１０】    以下、添付図面に従って一実施例を説明する。［第１図］によって説明すると本図は、表層材と剥離材を外覆した粘着層を形成した裏層材を重ねて周縁部を溶着し、ルーペ出入口とした未溶着部分にルーペを内装した状態の収納袋本体を示す平面図である。【００１１】    ［第２図］によって説明すると、本図は収納袋の表層に開孔した窓から直視できる裏層材内側表面に社名を印刷し、フレネルレンズ部を収納した状態を示す使用状態を示す【００１２】    ［第３図］によって説明すると、本図は［第１図］のＡ−Ａ’線における拡大図である。【００１３】    ［第４図］によって説明すると、本図は［第２図］における収納袋の裏層外側表面に剥離材を外覆した粘着層を形成した一実施例の背面図による説明図である。【００１４】    ［第５図］によって説明すると、本図は［第２図］のＢ−Ｂ’線における断面図である。【００１５】    ［第６図］によって説明すると、本図は［第５図］のＢ−Ｂ’線における拡大図であり、［第２図］の構造説明図に相当する。【００１６】    ［第７図］によって説明すると、本図は本考案実施例の組立て前の構成部品である周縁部付きフレネルレンズの一実施例を示す正面図による構造説明図である。【００１７】  ［第８図］によって説明すると、本図は合成皮革を使って製作した収納袋の表層に開孔した窓から直視できる裏層材内側表面に社名を印刷した［第２図］における、フレネルレンズ部を引出した状態を示す使用状態を示す【００１８】  ［第９図］によって説明すると、本図は［第８図］における縦の略中央部にあたるＤ−Ｄ’線における断面図である。【００１９】  ［第１０図］によって説明すると、本図は［第９図］におけるＥ−Ｅ’線における拡大図であり、［第８図］の構造説明図に相当する。
【図面の簡単な説明】
【００２０】
【図１】本考案実施例のルーペ収納状態を示す収納袋平面図である。
【図２】本考案実施例のルーペ収納状態を示す収納袋正面図である。
【図３】［図１］Ａ−Ａ’線部による拡大図である。
【図４】本考案実施例の収納袋背面図である。
【図５】［図２］Ｂ−Ｂ’線部による断面図である。
【図６】［図５］Ｃ−Ｃ’線部による拡大図である。
【図７】収納袋部より取外した状態のルーペ本体の正面図である。
【図８】本考案実施例の収納袋からルーペを最大に引き出した状態を示す正面図である。
【図９】［図８］Ｄ−Ｄ’線部による断面図である。
【図１０】［図９］Ｅ−Ｅ’線部による拡大図である。
【符号の説明】
【００２１】    １    ルーペ収納状態を示す収納袋本体
２    収納袋表層材
２ａ  ルーペ出入口部
２ｂ  収納袋接合部
２ｃ  ルーペ引出係止部
２ｄ  ルーペ収納係止部
２ｅ  ルーペ引出用開孔窓部
３    収納袋裏層材
４    ルーペ本体
４ａ  シート状レンズ部
４ｂ  辺縁部
４ｃ  突起部
５    表示部
６    粘着層部
７    剥離層部
【図１】
0003210926.tif 000003
【図２】
0003210926.tif 000004
【図３】
0003210926.tif 000005
【図４】
0003210926.tif 000006
【図５】
0003210926.tif 000007
【図６】
0003210926.tif 000008
【図７】
0003210926.tif 000009
【図８】
0003210926.tif 000010
【図９】
0003210926.tif 000011
【図１０】
0003210926.tif 000012